(57)【特許請求の範囲】
【請求項１】
地下室設置予定地の周囲に鋼枠材を打設したあとに、鋼枠内を掘削した土壌面に矢板材を横方向に打ち付けて土壌止めをする地下室防水工法において、
矢板面及び内側型枠内に沿ってコンクリートを打設する際に任意箇所に先端を養生した中空形状の筒体を埋設しながらコンクリート壁を作る第一工程と、
内側型枠を撤去後、前記中空形状筒体内部に鉄棒を打ち込み筒体先端口を開放して土壌内部に穴を開ける第二工程と、
次いで水と反応するが水には不溶性の薬液である発泡剤を前記筒体に充填して先端から発砲させながら土壌内に浸透させ、筒体内部及び筒体先端周囲の土壌空間を発泡剤によって密封することによって土壌からの浸水を防止する第三工程と、
からなることを特徴とする地下室防水工法。
【発明の詳細な説明】
【０００１】
【発明の属する技術分野】
本発明は、地下室の防水工法に関し、更に詳しくは、地下室外壁からの水の侵入を防止すると共に、断熱効果や防音効果に優れたコンクリート壁材を提供する
地下室防水工法に関するものである。
【０００２】
【従来技術】
従来、地下室の築造工法としては、敷地面積が広い場合には建家敷地を広く掘削して地下室土台や側壁を組立ててから周囲を埋め戻していたが、この工法では費用と作業日数が多くかかっていた。
【０００３】
都市での建築の場合、周囲に人家が多いために掘削面積を少なく、また作業が早くできる工法として特開平１１−１５８８９１号「住宅用地下室の築造方法」は、地下室を築造すべき地盤に所用の範囲にわたり連壁を構築するための縦溝を所定の深さまで掘削する住宅用地下室の構造方法において、縦溝を掘削する前に先行穴としての小穴を複数個、所定間隔で所定の深さまで掘削し、次いで掘削連接部分を区画するためにロッキングパイプを任意の小穴部分に配設する」住宅用地下室の築造方法が開示されている。
【０００４】
さらに従来の工法では、地下室の基礎底盤の上に多量の鉄筋を配筋して型枠を組み付け、外壁厚が厚くなるように大量のコンクリートを打設して建物自体の強度を保つようにすると共に、コンクリート外壁面には雨や地下水の侵入を防止するために念入りな防水加工が施されているが、この工法の場合、多くの工程や大量の建築材料を要する等の問題があった。
【０００５】
このため、特開２００１−２８８７５９号「中空樹脂成形板を用いた組立式地下室とその施工方法」は、「ベースブロックと、上端押さえ部材と、中空壁パネルと、コーナー柱部材とから構成される地下室に、前記中空壁パネルとして熱可塑性樹脂成形材又は熱可塑性樹脂成形材及びセルロース系の破砕物の混合原料等を成形素材として、押出機で成形して中空部を有する中空樹脂成形板を用いることによって簡単な工数、短い工期、低価格で施工すると共に、狭い場所でも施工ができる工法」を開示する。
【０００６】
【発明が解決しようとする課題】
上記の従来工法では、室内への水の侵入や結露防止のために一旦打設したコンクリート壁材の外装部に防水加工を施さなければならないという課題があったが、この場合、狭い箇所での工事や防水加工材に高価な加工材を用いなければならないという問題があった。
【０００７】
また地下室における断熱面や防音面を考慮した場合、従来の工法では、できあがった地下室内壁に断熱材や防音材を貼って対応するしか手段がなかった。
【０００８】
従ってコンクリート壁材の防水性のみでなく、断熱性や防音性に優れた一種類の素材を用いて、断熱効果を有して結露が生じなく、且つ防音性に優れている地下室の建造が望まれていた。
【０００９】
【課題を解決するための手段】
本発明者はかかる課題を解決するために鋭意研究したところ、掘削した土壌面とコンクリート外壁材の間に発泡剤を充填させて、この発泡剤が土壌内、土壌とコンクリート外壁材との空間を密封することによって、コンクリート外壁面への水の侵入を防止すると共に、断熱性や防音性にも優れた効果を有することを見いだし、本発明の地下室防水工法を提供するものである。
【００１０】
すなわち、本発明は、地下室設置予定地の周囲に鋼枠材を打設したあとに、鋼枠内を掘削した土壌面に矢板材を横方向に打ち付けて土壌止めをする地下室防水工法において、矢板面及び内側型枠内に沿ってコンクリートを打設する際に任意箇所に先端を養生した中空形状の筒体を埋設しながらコンクリート壁を作る第一工程と、内側型枠を撤去後、前記中空形状筒体内部に鉄棒を打ち込み筒体先端口を開放して土壌内部に穴を開ける第二工程と、次いで水と反応するが水には不溶性の薬液である発泡剤を前記筒体に充填して先端から発砲させながら土壌内に浸透させ、筒体内部及び筒体先端周囲の土壌空間を発泡剤によって密封することによって土壌からの浸水を防止する第三工程と、からなることを特徴とする地下室防水工法である。
【００１１】
【発明の実施の形態】
図１に示すように、矢板面及び内側型枠内に沿ってコンクリートを打設する際に任意箇所に先端３ａを養生した複数の中空形状の筒体３を埋設する。
この際、該筒体３の他端側（コンクリート壁の内側となる端部側）に、壁材の打設時にコンクリートなどが逆流しないように蓋体４を嵌め込んでコンクリート壁を作る（第一工程）。
【００１２】
コンクリート壁材１ができあがった後に矢板や内側型枠を除去し、コンクリート外壁に土壌を埋め戻すか、或いは、矢板をそのまま残したままで内側型枠を撤去後、蓋体４を外して、筒体３内部に鉄棒５をハンマー６等で打ち込み、筒体先端３ａを開口する（第二工程）。
【００１３】
次いで水と反応するが水には不溶性の薬液である発泡剤、例えばタックス（ＴＡＣＳＳ商品名）薬液を前記筒体３に充填して先端から発砲させながらコンクリート壁材１の外側土壌内に浸透させ、筒体３の内部及び筒体先端３ａの周囲からコンクリート壁材１の外側全体を発泡剤によって密封することによって土壌からの浸水を防止する（第三工程）。
【００１４】
この場合、発泡剤であるタックス（ＴＡＣＳＳ商品名）薬液は、流込み器であるスカインを用いて円筒入口部から圧力をかけながら送液し、延筒先端１０の周囲土壌の隙間に浸透させながら注入するとよい。
【００１５】
注入された発泡剤は、水と反応しながらポリ尿素ゲル（ウレタン樹脂）を生成しながら土壌の隙間に浸透して筒体先端３ａの周囲からコンクリート壁材１の外側全体を密封すると共に、中空筒体３内部自体も密封することを確認して、発泡剤の注入を中止するとよい。
【００１６】
この場合、発泡剤であるタックス（ＴＡＣＳＳ商品名）薬液は、先に水を流した後に中空筒体の入り口から注入するとより発泡し、充填効果が高まる。
【００１７】
このようにして得られた密封体（発泡体）は、断熱保温板の代わりに止水効果に優れ、更に断熱効果、防音効果を有するものである。
【００１８】
【発明の効果】
本発明の防水工法は、従来工法のようにコンクリート外壁材周囲に断熱保温板を用いる必要が無いために構造的にコストが安上がりである他、コンクリート外壁と土壌との間に発泡剤が侵入して土壌の隙間や、土壌と外壁との間の空間部を密封することによって土壌や地上からの雨水等の浸水を防ぐことができるものである。
【００１９】
この発泡剤によって密封された密封体は、上記の止水効果の他に、断熱効果及び防音効果に優れた性質を有し、このために地下室内室における結露の発生を無くすることができるために快適な地下空間を与えることができるものである。
【図面の簡単な説明】
【図１】本発明工法の実施例における断面を示す部分拡大図である。
【符号の説明】
１・・・コンクリート壁材
２・・・土壌
３・・・筒体
３ａ・・筒体の先端
４・・・蓋体
５・・・鉄棒
６・・・ハンマー
【図１】
0003981029.tif 000002